(57)【要約】ＷｉＦｉ／ＩＭＳネットワーク等の無線データ・ネットワーク（１０４）およびセルラー・ネットワーク等の無線音声ネットワーク（１０５）によってサービスが提供されているデュアル・モード無線デバイス（１２０）に呼配信を提供する通信ネットワーク（１００）および方法が開示されている。無線データ・ネットワーク（１０４）の呼制御機能（１１４）は、デュアル・モード無線デバイス（１２０）への呼を受信するように適合されている。呼制御機能（１１４）は、デバイスが無線データ・ネットワークを介して呼に関して利用可能であるかどうかを決定するために、無線データ・ネットワーク（１０４）を介してデュアル・モード無線デバイス（１２０）にピング・メッセージを送信する。呼制御機能（１１４）がデバイスからのピング・メッセージに対する応答を受信する場合、呼制御機能は、無線データ・ネットワーク（１０４）を介した呼のセットアップを試みる。呼制御機能（１１４）がピング・メッセージに対する応答を受信しない場合、呼制御機能は、無線音声ネットワーク（１０５）を介した呼のセットアップを試み得る。
2009539316.tif 000002
【特許請求の範囲】
【請求項１】
デュアル・モード無線デバイス（１２０）に呼配信を提供する通信ネットワーク（１００）であって、前記通信ネットワーク（１００）が、
前記デュアル・モード無線デバイスにサービスを提供するように適合されている無線データ・ネットワーク（１０４）と、
前記デュアル・モード無線デバイスにサービスを提供するように適合されている無線音声ネットワーク（１０５）とを含み、前記デュアル・モード無線デバイスが、前記無線データ・ネットワークおよび前記無線音声ネットワークに登録されていると確認されており、
前記通信ネットワークは、
前記デュアル・モード無線デバイスへの呼を受信するように適合され、前記デュアル・モード無線デバイスが前記無線データ・ネットワークを介して前記呼に関して利用可能であるかどうかを決定するために、前記無線データ・ネットワークを介して前記デュアル・モード無線デバイスにピング・メッセージを送信するように適合され、前記デュアル・モード無線デバイスからの前記ピング・メッセージに対する応答の受信に応答して、前記無線データ・ネットワークを介した前記呼のセットアップを試みるために、前記無線データ・ネットワークを介して前記デュアル・モード無線デバイスに呼セットアップ・メッセージを送信するように適合されている呼制御機能（１１４）を前記無線データ・ネットワークが含むことを特徴とする、通信ネットワーク。
【請求項２】
前記呼制御機能（１１４）が、前記デュアル・モード無線デバイスからの前記ピング・メッセージに対する応答を受信しないことに応答して、前記無線音声ネットワークを介した前記呼のセットアップを試みるために、前記無線音声ネットワーク（１０５）を介して前記デュアル・モード無線デバイス（１２０）に呼セットアップ・メッセージを送信するようにさらに適合されている、請求項１に記載の通信ネットワーク（１００）。
【請求項３】
前記呼制御機能（１１４，３１４）が、
前記無線音声ネットワーク（３０５）のＭＳＣ（３２４）にルート要求メッセージを送信し、
前記ＭＳＣから一時的ローカル・ディレクトリ番号（ＴＬＤＮ）を含むルート応答メッセージを受信し、
前記ＴＬＤＮに基づいて、前記無線音声ネットワークを介して前記呼セットアップ・メッセージを送信するようにさらに適合されている、請求項２に記載の通信ネットワーク（１００，３００）。
【請求項４】
前記呼制御機能（１１４）が、
前記ピング・メッセージに対する前記応答に関する第１のタイム・アウトを監視するために、前記ピング・メッセージの送信に応答して第１のタイマを設定し、
前記呼セットアップ・メッセージに対する応答に関する第２のタイム・アウトを監視するために、前記呼セットアップ・メッセージの送信に応答して第２のタイマを設定するようにさらに適合されていて、前記ピング・メッセージに対する前記第１のタイム・アウトが前記呼セットアップ・メッセージに対する前記第２のタイム・アウトよりも小さい、請求項１に記載の通信ネットワーク（１００）。
【請求項５】
前記ピング・メッセージがＳＩＰ  ＯＰＴＩＯＮＳメッセージを含み、前記呼セットアップ・メッセージがＳＩＰ  ＩＮＶＩＴＥメッセージを含む、請求項１に記載の通信ネットワーク（１００）。
【請求項６】
無線データ・ネットワークおよび無線音声ネットワークに登録されていると確認されているデュアル・モード無線デバイスに呼配信を提供する方法であって、前記無線データ・ネットワークの前記デュアル・モード無線デバイスへの呼の受信に応答して、前記方法が、
前記デュアル・モード無線デバイスが前記無線データ・ネットワークを介して前記呼に関して利用可能であるかどうかを決定するために、前記無線データ・ネットワークを介して前記デュアル・モード無線デバイスにピング・メッセージを送信するステップと、
前記デュアル・モード無線デバイスからの前記ピング・メッセージに対する応答の受信に応答して、前記無線データ・ネットワークを介した前記呼のセットアップを試みるために、前記無線データ・ネットワークを介して前記デュアル・モード無線デバイスに呼セットアップ・メッセージを送信するステップとを特徴とする、方法。
【請求項７】
前記デュアル・モード無線デバイスからの前記ピング・メッセージに対する応答を受信しないことに応答して、前記無線音声ネットワークを介した前記呼のセットアップを試みるために、前記無線音声ネットワークを介して前記デュアル・モード無線デバイスに呼セットアップ・メッセージを送信するステップをさらに含む、請求項６に記載の方法。
【請求項８】
前記無線音声ネットワークを介して前記デュアル・モード無線デバイスに呼セットアップ・メッセージを送信する前記ステップが、
前記無線音声ネットワークのＭＳＣにルート要求メッセージを送信するステップと、
前記ＭＳＣから一時的ローカル・ディレクトリ番号（ＴＬＤＮ）を含むルート応答メッセージを受信するステップと、
前記ＴＬＤＮに基づいて、前記無線音声ネットワークを介して前記呼セットアップ・メッセージを送信するステップとを含む、請求項７に記載の方法。
【請求項９】
前記ピング・メッセージに対する前記応答に関する第１のタイム・アウトを監視するために、前記ピング・メッセージの送信に応答して第１のタイマを設定するステップと、
前記呼セットアップ・メッセージに対する応答に関する第２のタイム・アウトを監視するために、前記呼セットアップ・メッセージの送信に応答して第２のタイマを設定するステップとをさらに含み、前記ピング・メッセージに対する前記第１のタイム・アウトが前記呼セットアップ・メッセージに対する前記第２のタイム・アウトよりも小さい、請求項６に記載の方法。
【請求項１０】
前記ピング・メッセージがＳＩＰ  ＯＰＴＩＯＮＳメッセージを含み、前記呼セットアップ・メッセージがＳＩＰ  ＩＮＶＩＴＥメッセージを含む、請求項６に記載の方法。
【発明の詳細な説明】
【技術分野】
【０００１】
本発明は、通信ネットワークの分野に関し、特に、デュアル・モード無線デバイスへの呼配信を提供することに関する。
【背景技術】
【０００２】
無線電話プロバイダは、セルラー・ネットワーク（例えば、ＣＤＭＡまたはＧＳＭ）およびＷｉＦｉネットワーク（例えば、８０２．１１ｂ、８０２．１１ｇ、他）等の別の種類の無線データ・ネットワークと通信する機能性を有するデュアル・モード電話を開発している。デュアル・モード電話の構想は、ユーザにセルラー・ネットワークまたはＷｉＦｉネットワークのいずれとも通信する柔軟性を可能にすることである。ＷｉＦｉネットワークは、通常、インターネット閲覧、ｅメール、その他等のデータ通信に使用される。ＷｉＦｉネットワークは、音声通信に対してＶｏＩＰ呼の形式で同様に使用され得る。セルラー・ネットワークは、通常、音声通信に対して使用されるが、データ通信に対して同様に適合されている。
【０００３】
デュアル・モード電話は、より一般的になりつつある、会社または企業、空港、本屋、喫茶店、その他にある局所的なＷｉＦｉ「ホット・スポット」を巧みに利用する。デュアル・モード電話がＷｉＦｉホット・スポットの範囲内にある場合、この電話はデータ通信、ＶｏＩＰ、その他に関して無線ＬＡＮ（ＷＬＡＮ）にアクセスし得る。ＷＬＡＮは、一般的に、より効率的なデータ転送のためにセルラー・ネットワークよりも高い帯域幅を提供する。デュアル・モード電話がＷＬＡＮから外に移動する場合、この電話は音声またはデータ通信に関してセルラー・ネットワークに切り替えることが可能である。
【０００４】
ＷｉＦｉネットワークは、ＩＰマルチメディア・サブシステム（ＩＭＳ）と統合され得る。第３世代パートナーシップ・プロジェクト（３ＧＰＰ）は、ＩＭＳネットワークおよびネットワーキングのアーキテクチャを説明する仕様を示している。サービス・プロバイダは、次の世代のネットワーク展開でこのアーキテクチャを受け入れている。ＩＭＳアーキテクチャは、ＩＰネットワークを介して移動体加入者にマルチメディア・サービスを提供するように、３ＧＰＰによって最初に規定されている。ＩＰネットワークは、映像、音声、およびデータを送信するのに最も経費節約になる基幹ネットワークになりつつある。ＩＭＳは、ＩＭＳプラットフォーム上でＩＭＳ加入者にマルチメディア・サービスを提供するためにＩＰネットワークの利点を用いる。ＩＭＳネットワーク内で使用される信号は、一般に、セッション初期化プロトコル（ＳＩＰ）である。ＩＭＳは、アプリケーション・サーバ（ＡＳ）、ＩＭＳコア・ネットワーク（ＣＳＣＦ）、ＩＭＳ加入者（ユーザ）、ＩＭＳデータベース（ＨＳＳ）、およびＩＭＳ支払構成要素の間での標準ＳＩＰインターフェースを規定している。
【発明の開示】
【発明が解決しようとする課題】
【０００５】
２つの異なる種類の無線ネットワークを用いての電話通信能力は、ネットワーキング問題を発生させる。例えば、発呼者が、デュアル・モード電話を有する移動体加入者に対する番号に電話をかける場合、その呼はセルラー・ネットワークまたはＷｉＦｉ／ＩＭＳネットワークのいずれを介してでもその電話にルーティングが可能である。ネットワーク管理者が直面する１つの問題は、２つの無線ネットワークがデュアル・モード電話に対して利用可能である場合の呼配信である。より詳細には、ネットワーク管理者は、呼がデュアル・モード電話に受信され得るように、いずれのネットワークで呼をルーティングするかを決定する必要がある。現在、デュアル・モード加入者に対する呼配信問題に対処する利用可能な標準は存在しない。
【０００６】
移動体加入者によって生じる別の問題は、彼らが無線ネットワーク（セルラーおよびＷｉＦｉ／ＩＭＳ）のサービス・エリアの内外を移動し得ることである。デュアル・モード電話がセルラー・ネットワークの範囲内にある場合、このデュアル・モード電話はセルラー・ネットワークに登録する。同様に、デュアル・モード電話がＷｉＦｉ／ＩＭＳネットワークの範囲内にある場合、デュアル・モード電話は同様にＷｉＦｉ／ＩＭＳネットワークに登録する。セルラー・ネットワークの加入者データベース（例えば、ホーム位置レジスタ（ＨＬＲ））およびＷｉＦｉ／ＩＭＳネットワークの加入者データベース（例えば、ホーム加入者サーバ（ＨＳＳ））は、デュアル・モードが現在登録されているかどうかを示す加入者レコードを各々記憶している。
【０００７】
デュアル・モード電話が無線ネットワークに登録された後、移動体加入者が一方または両方のネットワークのサービス・エリアから移動する可能性がある。これは、ＷｉＦｉ／ＩＭＳネットワークで特に問題になり得、それは、そのサービス・エリアが、充分に確立されているセルラー・ネットワークのサービス・エリアと比較して一般に小さいからである。一例として、移動体加入者が都市の繁華街にいる場合、移動体加入者は、喫茶店、飲食店、他によって提供されるＷｉＦｉ／ＩＭＳネットワークの範囲内にいる可能性がある。移動体加入者が繁華街領域から２または３ブロック離れると、ＷｉＦｉ／ＩＭＳネットワークは範囲外である可能性がある。移動体加入者がＷｉＦｉ／ＩＭＳネットワークの範囲外に移動したとしても、ＷｉＦｉ／ＩＭＳネットワークの加入者データベースは、移動体加入者のデュアル・モード電話がネットワークに登録されているといまだに示す可能性がある。移動体加入者に対する呼が受信される場合、デュアル・モード電話が登録されているといまだに示されているので、ＷｉＦｉ／ＩＭＳネットワークは、その呼を移動体加入者に接続することを試みる。ＷｉＦｉ／ＩＭＳネットワークは、もはやＷｉＦｉ／ＩＭＳネットワークの範囲内に存在しないデュアル・モード電話への呼の接続を試みる不必要な時間を費やす可能性が存在する。例えば、ＩＭＳネットワークで、デュアル・モード電話への呼を受信する呼サービング制御機能（ＣＳＣＦ）は、デュアル・モード電話にＳＩＰ  ＩＮＶＩＴＥメッセージを送信して応答（例えば、ＳＩＰ  ２００  ＯＫメッセージ）を待つ。一定時間を経て応答がない場合、ＣＳＣＦは、呼の発信ネットワーク（例えば、ＰＳＴＮ）に、ＳＩＰ  ＴＲＹＩＮＧメッセージを送信する。ＣＳＣＦは、デュアル・モード電話に別のＩＮＶＩＴＥメッセージを送信して再度、応答を待つ可能性もある。ＩＭＳの設定され方によっては、呼をデュアル・モード電話に接続する試みで、ＣＳＣＦが、デュアル・モード電話への複数のメッセージおよび発信ネットワークへの複数のメッセージを送信する可能性がある。ＣＳＣＦが呼の接続に失敗すると、それは移動体加入者がＷｉＦｉ／ＩＭＳネットワークの範囲外である場合の状況であり、ＣＳＣＦは、呼を音声メールにルーティングする等の、呼に対する第２の呼処理を開始する。
【０００８】
移動体加入者がＷｉＦｉ／ＩＭＳネットワークのサービス・エリア内に戻って来ない場合、ＷｉＦｉ／ＩＭＳネットワークは、最終的にデュアル・モード電話の登録を終了する（タイム・アウトするとも呼ばれる）。残念ながら、デュアル・モード電話のタイム・アウトは、１時間、２時間またはそれより長く、その時間の間、ＷｉＦｉ／ＩＭＳネットワークは、デュアル・モード電話への呼の接続を試みる時間を無駄にする。
【課題を解決するための手段】
【０００９】
本発明は、デュアル・モード無線デバイスへの呼をセットアップする試みの前に無線データ・ネットワーク（例えば、ＷｉＦｉ／ＩＭＳネットワーク）のデュアル・モード無線デバイスの利用可能性を決定することによって、上記および他の関連する問題を解決する。デュアル・モード無線デバイスが現在、利用可能でない（即ち、ネットワークのサービス・エリアの外に移動している）場合、無線データ・ネットワークは、デュアル・モード無線デバイスに呼をセットアップする試みに時間を費やすことおよびリソースを割り当てることをしない。無線データ・ネットワークは代わりに無線音声ネットワーク（例えば、セルラー・ネットワーク）を介して呼をデュアル・モード無線デバイスに接続することを試み得る。これは、無線データ・ネットワークでのネットワーク・リソースのより効率的な使用を提供し、呼のデュアル・モード無線デバイスへのより効率的および効果的な配信を可能にする点が有利である。
【００１０】
本発明の１つの実施形態では、通信ネットワークが無線データ・ネットワークおよび無線音声ネットワークを含む。無線データ・ネットワークの一例は、ＷｉＦｉ／ＷｉＭａｘ通信を使用する無線ローカル・エリア・ネットワーク（ＷＬＡＮ）およびＩＭＳネットワーク（ＷｉＦｉ／ＩＭＳネットワークとも呼ばれる）を含む。無線音声ネットワークの一例は、ＣＤＭＡネットワークまたはＧＳＭネットワーク等のセルラー・ネットワークを含む。無線データ・ネットワークおよび無線音声ネットワークは共に、デュアル・モード無線デバイスとの通信に適合されている。この実施形態では、デュアル・モード無線デバイスが無線データ・ネットワークおよび無線音声ネットワークに登録されていると仮定している。
【００１１】
呼が発呼者からデュアル・モード無線デバイスに発信される場合、無線データ・ネットワークの呼制御機能がデュアル・モード無線デバイスへの呼を受信する。呼制御機能は、デュアル・モード無線デバイスが無線データ・ネットワークを介して呼に関して利用可能であるかどうかを決定するために、無線データ・ネットワークを介してデュアル・モード無線デバイスにピング・メッセージを送信する。呼制御機能がデュアル・モード無線デバイスからピング・メッセージに対する応答を受信する場合、呼制御機能は、無線データ・ネットワークを介した呼のセットアップを試みるために、無線データ・ネットワークを介してデュアル・モード無線デバイスに呼セットアップ・メッセージを送信する。（例えば、規定されている時間を経ても）呼制御機能がデュアル・モード無線デバイスからピング・メッセージに対する応答を受信しない場合、呼制御機能は、デュアル・モード無線デバイスが無線データ・ネットワークを介して利用可能でないと決定することが可能である。次に、呼制御機能は、無線音声ネットワークを介した呼のセットアップを試みるために、無線音声ネットワークを介してデュアル・モード無線デバイスに呼セットアップ・メッセージを送信し得る。
【００１２】
無線データ・ネットワークがＳＩＰベース・ネットワークである場合、呼制御機能は、ＳＩＰ  ＯＰＴＩＯＮＳメッセージをピング・メッセージとして送信し得る。ＳＩＰプロトコルによると、ＯＰＴＩＯＮＳメッセージは、デュアル・モード無線デバイスが移動体加入者への着信音をもたらすように設定されていない。呼制御機能が、ピング・メッセージに対する応答を受信する場合、呼制御機能は、無線データ・ネットワークを介してＳＩＰ  ＩＮＶＩＴＥメッセージを呼セットアップ・メッセージとして送信し得る。ＳＩＰ  ＩＮＶＩＴＥメッセージは、デュアル・モード無線デバイスが着信音をもたらすように、従って、呼セットアップを開始するように設定されている。ＳＩＰ  ＯＰＴＩＯＮＳメッセージは、ＳＩＰ  ＴＲＹＩＮＧメッセージの送信、次のＩＮＶＩＴＥメッセージの送信、その他のように、ＳＩＰ  ＩＮＶＩＴＥメッセージに関連するオーバーヘッドなしに無線データ・ネットワークを介したデュアル・モード無線デバイスの利用可能性の迅速な試験を提供することが可能である。
【００１３】
本発明は、以下で説明する他の例示的な実施形態を含み得る。
【００１４】
同じ参照番号は、図面の同じ構成要素または同種の構成要素を示す。
【発明を実施するための最良の形態】
【００１５】
図１〜７および以下の説明は、本発明をどのように製造および使用するかを当業者に教示するための本発明の特定の例示的な実施形態を示す。発明の原理を教示する目的で、本発明のいくつかの従来的態様は、単純化または省略されている。当業者は、本発明の範疇の範囲内である、これらの実施形態からの変形実施形態を理解するであろう。当業者は、以下で説明される特性が種々のやり方で組み合わせられて、本発明の多数の変形実施形態を形成し得ることを理解するであろう。結果として、本発明は以下で説明される特定の実施形態には限定されないが、特許請求の範囲およびそれらの同等物によってのみ限定される。
【００１６】
図１は、本発明の例示的な実施形態の通信ネットワーク１００を示す。通信ネットワーク１００は、発信ネットワーク１０２、無線データ・ネットワーク１０４、および無線音声ネットワーク１０５を含む。サービス・エリアは分離しているかまたは重なり合っている可能があるため、ネットワークを示すネットワークの雲は、ネットワークの実際のサービス・エリアを示すために使用されていない。無線データ・ネットワーク１０４および無線音声ネットワーク１０５は、一般的に異なる目的（一方がデータのためのものであり、他方が音声のためのものである）で使用される別個のネットワークである。しかしながら、両方のネットワーク１０４〜１０５は、共通のサービス・プロバイダによって管理され所有され得る。無線データ・ネットワーク１０４および無線音声ネットワーク１０５は共に、デュアル・モード無線デバイス１２０に通信サービスを提供するように適合されている。通信ネットワーク１００は、図１に示されていない他のネットワーク、システム、またはデバイスを含み得る。
【００１７】
発信ネットワーク１０２は、無線データ・ネットワーク１０４および無線音声ネットワーク１０５の一方または両方に呼を転送するように適合されている任意のネットワークを含む。発信ネットワーク１０２の例は、回路ベース・ネットワーク（例えば、公衆交換電話網（ＰＳＴＮ））またはパケット・ベース・ネットワーク（例えば、インターネット）を含む。この実施形態では、発信ネットワーク１０２は、最初に無線データ・ネットワーク１０４に呼を送信するように設定されているが、別の実施形態では異なる設定がされてよい。
【００１８】
無線データ・ネットワーク１０４は、無線信号を介してデータ通信を一般的に提供する任意のネットワークを含む。無線データ・ネットワーク１０４の一例は、ＷｉＦｉ／ＷｉＭａｘ通信を使用する無線ローカル・エリア・ネットワーク（ＷＬＡＮ）を含む。無線データ・ネットワーク１０４の内部ネットワーキングは、３ＧＰＰで説明されているＩＭＳアーキテクチャ等の技術を使用し得る。無線データ・ネットワーク１０４の例示的実装は、会社もしくはキャンパスの企業ネットワークとして、または空港、喫茶店、その他等の一般的な公共の場の「ホット・スポット」としてであってよい。無線データ・ネットワーク１０４は、通常、データ通信に対して使用されるが、当業者は、データ・ネットワークがＶｏＩＰ呼等の音声通信を転送し得ることを理解するであろう。無線データ・ネットワーク１０４は、従って、無線ＶｏＩＰネットワークとも呼ばれ得る。
【００１９】
無線データ・ネットワーク１０４は、デュアル・モード無線デバイス１２０にサービスを提供するように適合されている呼制御機能（ＣＣＦ）１１４を含む。ＩＭＳネットワークのＣＣＦ１１４の一例は、呼サービング制御機能（ＣＳＣＦ）および／またはアプリケーション・サーバ（ＡＳ）であってよい。デバイス１２０は、サービス・プロバイダによって提供されるデュアル・モード・サービスに加入している移動体加入者１２２によって作動されている。
【００２０】
無線音声ネットワーク１０５は、無線信号を介して音声通信を一般的に提供する任意のネットワークを含む。無線音声ネットワーク１０５の一例は、ＣＤＭＡネットワークまたはＧＳＭネットワーク等のセルラー・ネットワークを含む。無線音声ネットワーク１０５は、通常、音声通信に対して使用されるが、当業者は、音声ネットワークが同様にデータ通信を転送し得ることを理解するであろう。
【００２１】
移動体加入者１２２が無線データ・ネットワーク１０４および無線音声ネットワーク１０５の両方の範囲内にいることを仮定する。移動体加入者１２２が無線データ・ネットワーク１０４の範囲内にいる場合、デバイス１２０は、無線データ・ネットワーク１０４に登録する。移動体加入者１２２が無線音声ネットワーク１０５の範囲内にいる場合、デバイス１２０は、無線音声ネットワーク１０５に登録する。その後に、移動体加入者１２２は、無線データ・ネットワーク１０４および無線音声ネットワーク１０５の一方または両方のサービス・エリアから外に移動し得るが、無線データ・ネットワーク１０４および／または無線音声ネットワーク１０５の加入者レコードに登録されているものとしていまだに示される。
【００２２】
発信ネットワーク１０２が発呼者（図示せず）からのデバイス１２０への呼を受信すると仮定する。呼は、従来の回路ベース呼またはＶｏＩＰ呼を含み得る。この実施形態では、発信ネットワーク１０２は、呼を無線データ・ネットワーク１０４にルーティングするように設定されている。
【００２３】
図２は、本発明の例示的な実施形態でのデュアル・モード無線デバイスへの呼配信を提供する方法２００を示すフローチャートである。方法２００のステップは、図１の通信ネットワーク１００を参照して説明される。図２のフローチャートのステップは、包括的なものではなく、示されていない別のステップを含み得る。
【００２４】
方法２００のステップ２０２で、発信ネットワーク１０２によってルーティングされる呼をＣＣＦ１１４が受信する。呼を受信することに応答して、ステップ２０４で、デバイス１２０が無線データ・ネットワーク１０４を介して呼に対して利用可能であるかどうかを決定するために、ＣＣＦ１１４は、無線データ・ネットワーク１０４を介してデバイス１２０にピング・メッセージを送信する。ピング・メッセージは、デバイス１２０への呼セットアップの試みの必要なしにデバイス１２０の利用可能性を決定するように適合されている任意のメッセージを含む。例えば、無線データ・ネットワーク１０４がＳＩＰベースである場合、ピング・メッセージは、ＳＩＰ  ＯＰＴＩＯＮＳメッセージを含み得る。ＳＩＰ  ＯＰＴＩＯＮＳメッセージは、ＳＩＰベース・ネットワークで呼セットアップに対して従来的には使用されない。従って、無線データ・ネットワーク１０４およびデバイス１２０は、ＯＰＴＩＯＮＳメッセージに応答して通常の呼セットアップ・プロセスを実行しない。ＯＰＴＩＯＮＳメッセージは、呼セットアップ・プロセスを開始することまたはデバイス１２０に移動体加入者１２２への着信音をもたらさせることなしに、デバイス１２０からの応答（即ち、ＳＩＰ  ２００  ＯＫメッセージ）を不正規に行うことが意図されている。
【００２５】
呼制御機能１１４がデバイス１２０からピング・メッセージに対する応答を受信する場合、呼制御機能１１４は、デバイス１２０が呼に対して無線データ・ネットワーク１０４を介して利用可能であると確認することが可能である。換言すると、デバイス１２０は、現在、無線データ・ネットワーク１０４のサービス・エリアに存在している。呼制御機能１１４は次に、ステップ２０６で、無線データ・ネットワーク１０４を介した呼のセットアップを試みるために、無線データ・ネットワーク１０４を介してデバイス１２０に呼セットアップ・メッセージを送信する。無線データ・ネットワーク１０４がＳＩＰベースである場合、呼セットアップ・メッセージがＳＩＰ  ＩＮＶＩＴＥメッセージを含み得る。次に、無線データ・ネットワーク１０４を介して呼をデバイス１２０に接続するために、通常の呼セットアップが行われ得る。
【００２６】
呼制御機能１１４がデバイス１２０からピング・メッセージに対する応答を（例えば、規定されている時間を経ても）受信しない場合、呼制御機能１１４は、デバイス１２０が呼に対して無線データ・ネットワーク１０４を介して利用可能でないと確認することが可能である。換言すると、デバイス１２０が無線データ・ネットワーク１０４に登録されているにもかかわらず、デバイス１２０が無線データ・ネットワーク１０４のサービス・エリアの外に移動している可能性がある。呼制御機能１１４は次に、ステップ２０８で、無線音声ネットワーク１０４を介した呼のセットアップを試みるために、無線音声ネットワーク１０５を介してデバイス１２０に呼セットアップ・メッセージを送信し得る。次に、無線音声ネットワーク１０５を介して呼をデバイス１２０に接続するために、通常の呼セットアップが行われ得る。代替的な実施形態では、デバイス１２０が無線音声ネットワーク１０５を介して利用可能でない場合または呼制御機能１１４がそのように動作するように設定されている場合、呼制御機能１１４は第２の呼処理を開始し得る。
【００２７】
上記方法２００は、デバイス１２０への呼配信の効果的な方法を提供する点で有利である。呼のセットアップを試みる前に無線データ・ネットワーク１０４でのデバイス１２０の利用可能性を決定することによって、移動体加入者１２２が無線データ・ネットワーク１０４のサービス・エリアの外に移動している場合の時間の間、時間およびネットワーク・リソースがより効率的に使用される。方法２００は、移動体加入者１２２が無線データ・ネットワーク１０４のサービス・エリアの外に偶然に移動している場合、無線音声ネットワーク１０５を介してデバイス１２０に呼がルーティングされることを同様に可能にしている。
【００２８】
図３〜７は、本発明の例示的な実施形態でのデュアル・モード電話の呼配信の例を示す。
【００２９】
図３は、本発明の例示的な実施形態での通信ネットワーク３００の別の実施形態を示す。通信ネットワーク３００は、ＰＳＴＮ３０２、ＷｉＦｉ／ＩＭＳネットワーク３０４、セルラー・ネットワーク３０５、および結合されているＨＬＲ／ＨＳＳ構成要素３０８を含む。サービス・エリアは分離しているかまたは重なり合っている可能があるため、ネットワーク３０４〜３０５を示すネットワークの雲は、ネットワークの実際のサービス・エリアを示すために使用されていない。ＷｉＦｉ／ＩＭＳネットワーク３０４およびセルラー・ネットワーク３０５は、一般的に異なる目的で使用される別個のネットワークである。ＷｉＦｉ／ＩＭＳネットワーク３０４は、通常、データ通信に対して使用される。セルラー・ネットワーク３０５は、通常、音声通信に対して使用される。しかしながら、ネットワーク３０４〜３０５およびＨＬＲ／ＨＳＳ３０８は、Ｖｅｒｉｚｏｎ社、Ｓｐｒｉｎｔ社、Ｃｉｎｇｕｌａｒ社、その他等の同じサービス・プロバイダによって管理され得る。ＨＬＲ／ＨＳＳ３０８は、ネットワーク３０４〜３０５の外側に存在するように示されているが、ＨＬＲ／ＨＳＳ３０８はネットワーク３０４〜３０５の一方もしくは両方の内側に実装されてもよいし、またはリモート・システムに実装されてもよい。通信ネットワーク３００は、図３に示されていない他のネットワーク、システム、またはデバイスを含み得る。
【００３０】
ＷｉＦｉ／ＩＭＳネットワーク３０４は、８０２．１１ｂまたは８０２．１１ｇ等の無線技術を使用する、複合のＩＭＳネットワークおよびＷｉＦｉ／ＷｉＭａｘネットワークである。ＷｉＦｉ／ＩＭＳネットワーク３０４は、巨大な会社、巨大なキャンパス、その他の企業ネットワークを含み得る。ＷｉＦｉ／ＩＭＳネットワーク３０４は、媒体ゲートウェイ制御機能（ＭＧＣＦ）／ブレークアウト・ゲートウェイ制御機能（ＢＧＣＦ）３１１、問い合わせ呼セッション制御機能（Ｉ−ＣＳＣＦ）３１２、サービング呼セッション制御機能（Ｓ−ＣＳＣＦ）３１３、アプリケーション・サーバ（ＡＳ）３１４、およびＷｉＦｉアクセス・ポイント（Ａ．Ｐ．）３１５を含む。ＭＧＣＦ／ＢＧＣＦ３１１、Ｉ−ＣＳＣＦ３１２、Ｓ−ＣＳＣＦ３１２、およびＡＳ３１４は、ＩＭＳネットワークに関する３ＧＰＰ仕様に精通している者達に知られている。アクセス・ポイント３１５は、デュアル・モード電話３２０等のＷｉＦｉデバイスとの通信に使用されるＷｉＦｉ／ＷｉＭａｘ送受信機である。ＷｉＦｉ／ＩＭＳネットワーク３０４は、簡潔化のために示されていない多数のアクセス・ポイント３１５を含み得る。
【００３１】
セルラー・ネットワーク３０５は、ＣＤＭＡネットワークまたはＧＳＭネットワーク等の任意のセルラー・ネットワークを含む。セルラー・ネットワーク３０５は、サービング移動体交換局（Ｓ−ＭＳＣ）３２４および基地局（Ｂ．Ｓ．）３２６を含む。Ｓ−ＭＳＣ３２４は、当技術分野で公知の訪問者位置レジスタ（ＶＬＲ）を含む。
【００３２】
ＨＬＲｓは、加入者レコードを記憶するために使用されるデータベースとしてセルラー・ネットワークで知られている。同様に、ＨＳＳｓは、ＩＭＳネットワークで、加入者レコードを記憶するために使用されるデータベースとして知られている。ＨＬＲ／ＨＳＳ３０８は、複合のＨＬＲ／ＨＳＳである。ＨＬＲ／ＨＳＳ３０８は、物理的に結合されている装置であってもよいし、または単一の装置であるように見えるように、所有する加入者データを同期化する複数の装置を含んでいてもよい。ＨＬＲ／ＨＳＳ３０８は、ネットワーク４０４または４０５のいずれからも加入者データを取り出し得るように、ＷｉＦｉ／ＩＭＳネットワーク４０４またはセルラー・ネットワーク４０５のいずれからもアクセス可能であってよい。
【００３３】
電話３２０の移動体加入者３２２は、ＷｉＦｉ／ＩＭＳネットワーク３０４およびセルラー・ネットワーク３０５の一方または両方の範囲内に存在し得る。移動体加入者３２２がＷｉＦｉ／ＩＭＳネットワーク３０４の範囲内に存在する場合、電話３２０はＷｉＦｉ／ＩＭＳネットワーク３０４に登録する。移動体加入者３２２がセルラー・ネットワーク３０５の範囲内に存在する場合、電話３２０はセルラー・ネットワーク３０５に登録する。電話３２０がネットワーク３０４〜３０５の一方または両方に登録されている場合、ＨＬＲ／ＨＳＳ３０８は適切な加入者データを用いて更新される。その後で、移動体加入者３２２は、ネットワーク３０４〜３０５の一方または両方のサービス・エリアの外に移動し得るが、ＨＬＲ／ＨＳＳ３０８に記憶されている加入者レコードに登録されているようにいまだに示される可能性がある。
【００３４】
ＰＳＴＮ３０２が発呼者（図示せず）から電話３２０への呼を受信すると仮定する。これらの実施形態では、ＰＳＴＮ３０２は、呼をＷｉＦｉ／ＩＭＳネットワーク３０４にルーティングするように設定されている。図４〜７は、通信ネットワーク３００での呼配信の例を示すメッセージ図である。
【００３５】
図４は、電話３２０がＷｉＦｉ／ＩＭＳネットワーク３０４に登録されているが、セルラー・ネットワーク３０５に登録されていない一例を示す。ＰＳＴＮ３０２は、初期アドレスメッセージ（ＩＡＭ）または何らかの他のＩＳＤＮユーザ部（ＩＳＵＰ）メッセージ等の呼セットアップ・メッセージの形式で電話３２０への呼を受信する。ＰＳＴＮ３０２は、ＭＧＣＦ／ＢＧＣＦ３１１にＳＩＰ  ＩＮＶＩＴＥメッセージを送信する。ＩＮＶＩＴＥメッセージは、電話３２０または移動体加入者３２２に関する一般ユーザ識別子（ＰＵＩＤ）を含む。ＭＧＣＦ／ＢＧＣＦ３１１は、次に、Ｉ−ＣＳＣＦ３１２を介してＳ−ＣＳＣＦ３１３にＩＮＶＩＴＥメッセージを送信する。Ｓ−ＣＳＣＦ３１３は、ＡＳ３１４にＩＮＶＩＴＥメッセージを送信する。ＡＳ３１４は、ＰＵＩＤに基づいて移動体加入者３２２がデュアル・モード加入者であることを確認する。ＡＳ３１４は、次に、電話３２０の登録状態を決定するために、Ｓ−ＣＳＣＦ３１３を介してＨＬＲ／ＨＳＳ３０８にＩＮＶＩＴＥメッセージを送信する。
【００３６】
ＩＮＶＩＴＥメッセージに応答して、ＨＬＲ／ＨＳＳ３０８は、いずれのネットワーク３０４または３０５に電話３２０が登録されているかを決定する。この例では、電話３２０は、ＷｉＦｉ／ＩＭＳネットワーク３０４に登録されている。ＨＬＲ／ＨＳＳ３０８は、Ｓ−ＣＳＣＦ３１３にＩＮＶＩＴＥメッセージを送信し、電話３２０がＷｉＦｉ／ＩＭＳネットワーク３０４に登録されていることを示す。Ｓ−ＣＳＣＦ３１３は、ＡＳ３１４にＩＮＶＩＴＥメッセージを送信し、Ｓ−ＣＳＣＦ３１３がＨＬＲ／ＨＳＳ３０８から有効な応答を受信したことを示す。Ｓ−ＣＳＣＦ３１３は、ＷｉＦｉ／ＩＭＳネットワーク３０４を介した電話３２０への呼を完了するために、アクセス・ポイント３１５および場合によっては他のシステムを介してＩＮＶＩＴＥメッセージを電話３２０に同様に送信する。
【００３７】
電話３２０が別の外部ＨＳＳ（図示せず）に登録されていた場合、ＨＬＲ／ＨＳＳ３０８は、加入者関連データを取得するためにダイヤミータ・インターフェース（Ｄｉａｍｅｔｅｒ  ｉｎｔｅｒｆａｃｅ）を介して標準ベース加入／通知機能性を使用する。Ｓ−ＣＳＣＦ３１３は、次に、獲得した加入者関連データに基づいて呼をルーティングし得る。
【００３８】
図５は、電話３２０がセルラー・ネットワーク３０５に登録されており、ＷｉＦｉ／ＩＭＳネットワーク３０４に登録されていない一例を示す。図５のメッセージングは、ＨＬＲ／ＨＳＳ３０８がＳ−ＣＳＣＦ３１３からＩＮＶＩＴＥメッセージを受信するように、図４のように流れる。ＩＮＶＩＴＥメッセージに応答して、ＨＬＲ／ＨＳＳ３０８は、電話３２０がいずれのネットワーク３０４または３０５に登録されているかを決定する。この例では、電話３２０は、セルラー・ネットワーク３０５に登録されている。ＨＬＲ／ＨＳＳ３０８は、呼に関するルーティング情報を決定するために、Ｓ−ＭＳＣ３２４（または関連する訪問者位置レジスタ（ＶＬＲ））にルート要求メッセージ（ＲＯＵＴＲＥＱ）を送信する。Ｓ−ＭＳＣ３２４はルート要求メッセージに応答し、呼に関する一時的ローカル・ディレクトリ番号（ＴＬＤＮ）を示す。ルート要求メッセージに応答して、ＨＬＲ／ＨＳＳ３０８は、Ｓ−ＣＳＣＦ３１３にＩＮＶＩＴＥメッセージを送信し、ＴＬＤＮを示す。Ｓ−ＣＳＣＦ３１３は、ＡＳ３１４にＩＮＶＩＴＥメッセージを送信し、Ｓ−ＣＳＣＦ３１３がＨＬＲ／ＨＳＳ３０８から有効な応答を受信したことを示す。
【００３９】
ＨＬＲ／ＨＳＳ３０８からの応答に基づいて、Ｓ−ＣＳＣＦ３１３は、呼がセルラー・ネットワーク３０５にルーティングされる必要があることを決定すること可能である。従って、Ｓ−ＣＳＣＦ３１３は、ＭＧＣＦ／ＢＧＣＦ３１１にＩＮＶＩＴＥメッセージを送信し、呼に関するＴＬＤＮを示す。ＴＬＤＮに基づいて、ＭＧＣＦ／ＢＧＣＦ３１１は、セルラー・ネットワーク３０５を介した電話３２０への呼を完了するためにＳ−ＭＳＣ３２４にＩＡＭを送信する。例えば、Ｓ−ＭＳＣ３２４はＩＡＭを受信し、基地局３２６を介してｐａｇｅ等の適切な呼セットアップ信号を電話３２０に送信する。
【００４０】
図６は、電話３２０がネットワーク３０４〜３０５の両方に登録されている一例を示す。図６のメッセージングは、ＨＬＲ／ＨＳＳ３０８がＳ−ＣＳＣＦ３１３からＩＮＶＩＴＥメッセージを受信するように、図４のように流れる。ＩＮＶＩＴＥメッセージに応答して、ＨＬＲ／ＨＳＳ３０８は、電話３２０がいずれのネットワーク３０４または３０５に登録されているかを決定する。この例では、電話３２０は、ネットワーク３０４〜３０５の両方に登録されている。ＨＬＲ／ＨＳＳ３０８は、呼を受信するのに電話３２０がＷｉＦｉ／ＩＭＳネットワーク３０４で利用可能であるかどうかを決定するために、電話３２０にピングする。電話３２０にピングするために、ＨＬＲ／ＨＳＳ３０８は、Ｓ−ＣＳＣＦ３１３を介して電話３２０にＳＩＰ  ＯＰＴＩＯＮＳメッセージを送信する。ＳＩＰ  ＯＰＴＩＯＮＳメッセージは、ＳＩＰベース・ネットワークで呼セットアップに対して従来的には使用されていない。従って、ＷｉＦｉ／ＩＭＳネットワーク３０４および電話３２０は、ＯＰＴＩＯＮＳメッセージに応答して通常の呼セットアップ・プロセスを実行しない。ＯＰＴＩＯＮＳメッセージは、呼セットアップ・プロセスを開始することまたは電話３２０に移動体加入者３２２への着信音をもたらさせることなしに、デバイス３２０からの応答（即ち、ＳＩＰ  ２００  ＯＫメッセージ）を不正規に行うことが意図されている。
【００４１】
デバイス３２０がＷｉＦｉ／ＩＭＳネットワーク３０４のサービス・エリア内に存在する場合、電話３２０は、ＯＰＴＩＯＮＳメッセージを受信することに応答してＳＩＰ  ２００  ＯＫメッセージをＨＬＲ／ＨＳＳ３０８に返すように設定されている。ＨＬＲ／ＨＳＳ３０８が２００  ＯＫメッセージを電話３２０から返されて受信する場合、ＨＬＲ／ＨＳＳ３０８は、ＷｉＦｉ／ＩＭＳネットワーク３０４を介して呼を受信するために電話３２０が利用可能であることを決定し得る。ＨＬＲ／ＨＳＳ３０８は次に、ＷｉＦｉ／ＩＭＳネットワーク３０４を介した電話３２０への呼を完了するために、Ｓ−ＣＳＣＦ３１３およびアクセス・ポイント３１５を介して電話３２０にＩＮＶＩＴＥメッセージを送信する。
【００４２】
この実施形態では、ＨＬＲ／ＨＳＳ３０８は、ＯＰＴＩＯＮＳメッセージに対する応答（図６の２００  ＯＫメッセージ）に関する第１のタイム・アウトを監視するために、ＯＰＴＩＯＮＳメッセージの送信に応答して第１のタイマを設定するように適合されている。同様に、ＨＬＲ／ＨＳＳ３０８は、ＩＮＶＩＴＥメッセージに対する応答（図６では示されていない）に関する第２のタイム・アウトを監視するために、ＩＮＶＩＴＥメッセージの送信に応答して第２のタイマを設定するように適合されている。この実施形態では、ＩＮＶＩＴＥメッセージで使用され得るものよりも電話３２０により早いピングを提供するために、ＩＮＶＩＴＥメッセージに対する第２のタイム・アウトよりもＯＰＴＩＯＮＳメッセージに対する第１のタイム・アウトの方が小さくなっている。
【００４３】
ピングに関してＩＮＶＩＴＥメッセージと対比してＯＰＴＩＯＮＳメッセージを使用することの利点は、以下でさらに示される。ＳＩＰ標準によると、ＩＮＶＩＴＥメッセージを使用する規定の呼セットアップ手順が存在する。背景技術で述べたように、ＩＮＶＩＴＥメッセージが送信された後、ＨＬＲ／ＨＳＳ３０８は、一定時間の間、電話３２０からの応答を待つ。タイム・アウトが存在する場合、ＨＬＲ／ＨＳＳ３０８は、ＰＳＴＮ３０２に呼の状態を通知するために、ＰＳＴＮ３０２にＳＩＰ  ＴＲＹＩＮＧメッセージを送信し得る。ＨＬＲ／ＨＳＳ３０８は、呼のセットアップを試みるために電話３２０に１つまたは複数の（再）ＩＮＶＩＴＥメッセージを同様に送信し得る。一方で、ＯＰＴＩＯＮＳメッセージは呼セットアップと関連付けられておらず、従って、ＴＲＹＩＮＧメッセージ、複数のＯＰＴＩＯＮＳメッセージ、または従来の呼セットアップに対して使用されるその他のメッセージを送信する規定の手順を有さない。従って、ＯＰＴＩＯＮＳメッセージは、電話３２０の利用可能性を決定するための、電話３２０への迅速な「ピング」を提供するために使用され得る。他のＳＩＰメッセージがＯＰＴＩＯＮＳメッセージの場合と同様に電話３２０への迅速なピングを提供するならば、他のＳＩＰメッセージがＯＰＴＩＯＮＳメッセージの代わりに使用されてよい。
【００４４】
図７は、電話３２０が両方のネットワーク３０４〜３０５に登録されている別の例を示す。図７のメッセージングは、ＨＬＲ／ＨＳＳ３０８がＳ−ＣＳＣＦ３１３からＩＮＶＩＴＥメッセージを受信するように、図４のように流れる。ＩＮＶＩＴＥメッセージに応答して、ＨＬＲ／ＨＳＳ３０８は、電話３２０がいずれのネットワーク３０４または３０５に登録されているかを決定する。この例では、電話３２０は、ネットワーク３０４〜３０５の両方に登録されている。ＨＬＲ／ＨＳＳ３０８は、呼を受信するのに電話３２０がＷｉＦｉ／ＩＭＳネットワーク３０４で利用可能であるかどうかを決定するために、電話３２０にピングする。電話３２０にピングするために、ＨＬＲ／ＨＳＳ３０８は、Ｓ−ＣＳＣＦ３１３を介して電話３２０にＳＩＰ  ＯＰＴＩＯＮＳメッセージを送信する。
【００４５】
デバイス３２０がＷｉＦｉ／ＩＭＳネットワーク３０４のサービス・エリア内に存在しない場合、電話３２０がＯＰＴＩＯＮＳメッセージに応答することが不可能である。ＨＬＲ／ＨＳＳ３０８が閾値時間内に電話３２０から返される応答メッセージを受信しない場合、ＨＬＲ／ＨＳＳ３０８は、ＷｉＦｉ／ＩＭＳネットワーク３０４を介して呼を受信するために電話３２０が利用可能でないことを決定し得る。ＨＬＲ／ＨＳＳ３０８は次に、呼に関するルーティング情報を決定するために、Ｓ−ＭＳＣ３２４にルート要求メッセージ（ＲＯＵＴＲＥＱ）を送信する。Ｓ−ＭＳＣ３２４はルート要求メッセージに応答し、呼に関する一時的ローカル・ディレクトリ番号（ＴＬＤＮ）を示す。ルート要求メッセージに応答して、ＨＬＲ／ＨＳＳ３０８は、Ｓ−ＣＳＣＦ３１３にＩＮＶＩＴＥメッセージを送信し、ＴＬＤＮを示す。ＨＬＲ／ＨＳＳ３０８からの応答に基づいて、Ｓ−ＣＳＣＦ３１３は、呼がセルラー・ネットワーク３０５にルーティングされる必要があることを決定することが可能である。従って、Ｓ−ＣＳＣＦ３１３は、ＭＧＣＦ／ＢＧＣＦ３１１にＩＮＶＩＴＥメッセージを送信し、呼に関するＴＬＤＮを示す。ＴＬＤＮに基づいて、ＭＧＣＦ／ＢＧＣＦ３１１は、セルラー・ネットワーク３０５を介した電話３２０への呼を完了するためにＳ−ＭＳＣ３２４にＩＡＭを送信する。例えば、Ｓ−ＭＳＣ３２４はＩＡＭを受信し、基地局３２６を介してｐａｇｅ等の適切な呼セットアップ信号を電話３２０に送信する。
【００４６】
本明細書では、特定の実施形態が説明されているが、本発明の範疇はそれらの特定の実施形態に限定されない。本発明の範疇は、添付の特許請求の範囲およびそれらのあらゆる同等物によって規定される。
【図面の簡単な説明】
【００４７】
【図１】本発明の例示的な実施形態での通信ネットワークを示す説明図である。
【図２】本発明の例示的な実施形態でのデュアル・モード無線デバイスへの呼配信を提供する方法を示すフローチャートである。
【図３】通信ネットワークの別の実施形態を示す説明図である。
【図４】図３の通信ネットワークでの呼配信の例を示すメッセージ図である。
【図５】図３の通信ネットワークでの呼配信の例を示すメッセージ図である。
【図６】図３の通信ネットワークでの呼配信の例を示すメッセージ図である。
【図７】図３の通信ネットワークでの呼配信の例を示すメッセージ図である。
【図１】
2009539316.tif 000003
【図２】
2009539316.tif 000004
【図３】
2009539316.tif 000005
【図４】
2009539316.tif 000006
【図５】
2009539316.tif 000007
【図６】
2009539316.tif 000008
【図７】
2009539316.tif 000009
【国際調査報告】
2009539316.tif 000010
2009539316.tif 000011
2009539316.tif 000012